(57)【要約】【課題】  内部空間が小さい電気製品の中に設置しやすく、ボイスコイルの振動を安定させて良好な共鳴を得ることができるスピーカを提供する。【解決手段】  スピーカの支持フレーム１は、拡大筒部１１と、拡大筒部１１の端部を塞ぐ底部１３とを有する。磁気回路５は、底部１３の開口１４に設置される。ボイスコイル２は、空中に吊り下げられた状態で磁気回路５の中心部に設けられる。ダイアフラム３は、支持フレーム１の拡大筒部１１とボイスコイル２との間に取り付けられる。ダンパ４は、支持フレーム１の内壁１２とダイアフラム３の折り曲げ部３１とに取り付けられる。これによれば、構造が簡素でありダイアフラム３および支持フレーム１の薄型化が可能である。また、ダイアフラム３の折り曲げ部３１がダンパ４に接着されているため、ボイスコイル２の振動を安定させて良好な共鳴を得ることができる。【選択図】図３
0003172346.tif 000002
【実用新案登録請求の範囲】
【請求項１】
テーパ状の拡大筒部と、当該拡大筒部の小径側の端部を塞ぎ、磁気回路が設けられる底部と、を有する支持フレームと、
空中に吊り下げられた状態で前記磁気回路の中心部に設けられるボイスコイルと、
前記支持フレームの前記拡大筒部と前記ボイスコイルとの間に設けられるダイアフラムと、
前記支持フレームと前記ダイアフラムとの間に設けられるダンパと、
を備え、
前記ダイアフラムは、前記ボイスコイルの径外方向に位置し、環状をなし、周方向に直交する断面がＶ字状に形成され、前記ダンパに接続する折り曲げ部を有することを特徴とするスピーカ。
【請求項２】
前記支持フレームの前記底部は、薄い皿状であり、当該底部の径外部に位置するとともに径内部に対し前記拡大筒部側に位置する段差状の内壁を有することを特徴とする請求項１に記載のスピーカ。
【請求項３】
前記ダンパは、径外部が前記支持フレームの前記内壁に接続され、径内部が前記ダイアフラムの前記折り曲げ部に接続されていることを特徴とする請求項２に記載のスピーカ。
【請求項４】
前記ダンパは、径外部が前記支持フレームの前記内壁に接続され、径内方向に前記ボイスコイルに接続されたテーパ筒部を有することを特徴とする請求項２に記載のスピーカ。
【請求項５】
前記ダイアフラムは、当該ダイアフラムを前記支持フレームの前記拡大筒部に接続するエッジ部を有し、
前記支持フレームの前記底部は、前記磁気回路が嵌合する開口を有することを特徴とする請求項３又は４に記載のスピーカ。
【考案の詳細な説明】
【技術分野】
【０００１】
本考案は、スピーカに関する。
【背景技術】
【０００２】
科学技術の急速な進歩に伴い、人々の生活は向上し、従来の大型で高価な陰極線管テレビジョンは、軽量かつ薄型の液晶テレビジョンにより代替されている。液晶テレビジョンは、画質が良く、迫力のある大型画面により、より臨場感のあるビジュアル効果を視聴者に提供することができる。液晶テレビジョンは、従来のテレビジョンのようにテレビ台に設置する他、リビングルームの壁面に壁掛けすることができる。このように、液晶テレビジョンは、簡単に設置することができ大きな占有空間が必要ないため人気がある。
【考案の概要】
【考案が解決しようとする課題】
【０００３】
新世代の液晶テレビジョンは、画面が以前よりも大型かつ薄型となっており、見た目が額縁のようにシンプルかつお洒落であるが、薄型であるため内部の収容空間が小さい。
図１を参照する。図１に示すように、従来のスピーカは、その支持フレームの前部に拡大口が設けられ、後部に磁気回路が収容されている。磁気回路の中心部には、ボイスコイルが設けられている。支持フレームの拡大口とボイスコイルとの間には、ダイアフラムが設けられ、このダイアフラムの下方には、ダンパが間隔をおいて配置されている。
【０００４】
このような従来のスピーカは、音質は好ましいが、占有体積が大きいため、内部空間が小さい液晶テレビジョン内に配置することは困難である。もし強引に組み合わせた場合、スピーカサイズを小さくする必要があるが、その場合、出力される音波が有効に共振されず、出力される音声が理想的でなくなり、視覚効果及び聴覚効果が良好でなくなる虞がある。
本考案の目的は、内部空間が小さい電気製品の中に設置しやすく、ボイスコイルの振動を安定させて良好な共鳴を得ることができるスピーカを提供することにある。
【課題を解決するための手段】
【０００５】
本考案によるスピーカは、支持フレーム、ボイスコイル、ダイアフラム及びダンパを備える。支持フレームは、テーパ状の拡大筒部と、当該拡大筒部の小径側の端部を塞ぎ、磁気回路が設けられる底部と、を有する。ボイスコイルは、空中に吊り下げられた状態で磁気回路の中心部に設けられる。ダイアフラムは、支持フレームの拡大筒部とボイスコイルとの間に設けられる。ダンパは、支持フレームとダイアフラムとの間に設けられる。
ダイアフラムは、ボイスコイルの径外方向に位置し、環状をなし、周方向に直交する断面がＶ字状に形成され、ダンパに接続する折り曲げ部を有する。
【０００６】
支持フレームの底部は、薄い皿状に形成され、径外部に位置するとともに径内部に対し拡大筒部側に位置する段差状の内壁を有することが好ましい。
ダンパは、径外部が支持フレームの内壁に接続され、径内部がダイアフラムの折り曲げ部に接続されることが好ましい。或いは、ダンパは、径外部が支持フレームの内壁に接続され、径内方向にボイスコイルに接続されたテーパ筒部を有することが好ましい。
【０００７】
ダイアフラムは、当該ダイアフラムを支持フレームの拡大筒部に接続するエッジ部を有することが好ましい。支持フレームの底部は、磁気回路が位置を合わせつつ嵌合する開口を有することが好ましい。
【考案の効果】
【０００８】
本考案によるスピーカは、構造が簡素でありダイアフラムを薄くすることができる。そのため、占有体積が小さくなり、内部空間が小さい電気製品の中に設置しやすくなる。また、ダイアフラムの折り曲げ部がダンパに接着されているため、ボイスコイルの振動を安定させて良好な共鳴を得ることができる。
【図面の簡単な説明】
【０００９】
【図１】従来のスピーカを示す断面図である。
【図２】本考案の第１実施形態によるスピーカを示す断面図である。
【図３】本考案の第２実施形態によるスピーカを示す断面図である。
【図４】本考案の第１実施形態および第２実施形態によるスピーカの応用例を示す断面図である。
【考案を実施するための形態】
【００１０】
以下、本考案の複数の実施形態を図面に基づいて説明する。実施形態同士で実質的に同一の構成には同一の符号を付して説明を省略する。
図２を参照する。図２に示すように、本考案の第１実施形態によるスピーカは、支持フレーム１、ボイスコイル２、ダイアフラム３及びダンパ４から構成される。
【００１１】
支持フレーム１は、前部に設けた拡大筒部１１と、後部に設けた底部１３とを有する。支持フレーム１は、薄い皿状である。底部１３は、径外部に段差状の内壁１２を有する。底部１３の中心部には、磁気回路５を設置するために用いる開口１４が形成されている。磁気回路５は、支持フレーム１の開口１４に取り付けられている。
【００１２】
ボイスコイル２は、空中に吊り下げられた状態で磁気回路５の中心部に設けられている。
ダイアフラム３は、支持フレーム１の拡大筒部１１とボイスコイル２とに接続している。
ダンパ４は、ダイアフラム３の後部側に配置されている。
【００１３】
ダイアフラム３は、環状をなし、周方向に直交する断面がＶ字状に形成され、折り曲げ部３１を有する。この折り曲げ部３１は、ダンパ４に接続する。ダイアフラム３は、エッジ部３２を介して支持フレーム１の拡大筒部１１に接続している。
ダンパ４の径外部は内壁１２に接続し、ダンパ４の径内部は折り曲げ部３１に接続している。
【００１４】
第１実施形態によるスピーカを組み立てる際、先ず、支持フレーム１の底部１３の開口１４に磁気回路５を取り付ける。次に、磁気回路５の中心部にボイスコイル２を設置する。次に、ダンパ４の径外部を支持フレーム１の内壁１２に接続する。次に、ダイアフラム３をボイスコイル２に嵌め、ダンパ４の径内部を折り曲げ部３１と接続する。次に、ダイアフラム３の径内部をボイスコイル２に接続し、支持フレーム１の拡大筒部１１とダイアフラム３の径外部とをエッジ部３２で接続する。
【００１５】
このような構成のスピーカによれば、構造が簡素でありダイアフラム３および支持フレーム１の薄型化が可能である。このような薄型スピーカは、体積が大幅に減り、小さい内部空間にスピーカを設置したり（図４参照）、薄型軽量のその他の電気製品の中に設置したりすることができる。
【００１６】
また、第１実施形態によるスピーカは、ダイアフラム３が断面Ｖ字状に形成され、折り曲げ部３１を有し、この折り曲げ部３１がダンパ４に接着されているため、スピーカから音が出力されてダイアフラム３が振動すると、弾性が良好となり、ボイスコイル２の前後の動き（ピストン運動とも称する）に合わせてボイスコイルが安定的に振動し、ダイアフラム３に良好な共鳴を発生させ、作動と音波との協調性を高めて良好な音質を得ることができる。
【００１７】
図３には、本考案の第２実施形態によるスピーカを示す。第２実施形態では、ダンパ４は、ダイアフラム３の折り曲げ部３１の径内方向に位置するテーパ筒部４１を有する。テーパ筒部４１の径内部は、ボイスコイル２に接着されている。このようなスピーカであっても第１実施形態と同様の効果が得られる。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１・・・支持フレーム
２・・・ボイスコイル
３・・・ダイアフラム
４・・・ダンパ
５・・・磁気回路
１１・・・拡大筒部
１２・・・内壁
１３・・・底部
１４・・・開口
３１・・・折り曲げ部
３２・・・エッジ部
４１・・・テーパ筒部
【図１】
0003172346.tif 000003
【図２】
0003172346.tif 000004
【図３】
0003172346.tif 000005
【図４】
0003172346.tif 000006